(57)【要約】      （修正有）【課題】浴槽において、簡単にサウナ効果や美肌効果を得られ、且つ、専用の金型に依存することなく製造することが可能な風呂蓋補助具を提供する。【解決手段】風呂蓋補助具Ｈは、浴槽の開口縁及び開口縁の上に浴槽を部分的に覆うように配された風呂蓋Ｆの端縁にそれぞれ支持されるとともに、可撓性を有する補助具本体を備え、補助具本体は、首挿通孔ａと、首挿通孔の左右に対をなして配設され前端縁が風呂蓋の端縁に支持されるとともに外側端縁が浴槽の開口縁に支持される左右の板状被覆部１、２と、首挿通孔の後に位置して左右の板状被覆部に連設されるとともに浴槽の開口縁に支持される略矩形状の後板状部３とを備えている。後板状部が、巻回された状態で入浴者の首部分を支持し得る枕を形成し得るものとなっている。【選択図】図２
0003211655.tif 000002
【実用新案登録請求の範囲】
【請求項１】
浴槽の開口縁及び前記浴槽を部分的に覆うように配された風呂蓋の端縁にそれぞれ支持される風呂蓋補助具であって、
可撓性を有する合成樹脂製の板状部材により形成され前記浴槽を部分的に覆う補助具本体を備えたものであり、
前記補助具本体が、左右方向中央部に設けられ前記浴槽に入る入浴者の首部分を通過させ得る大きさに設定された首挿通孔と、前記首挿通孔の左右に対をなして配設され前端部分が前記風呂蓋の端縁に支持されるとともに外側端部分が前記浴槽の開口縁に支持される左右の板状被覆部と、前記首挿通孔の後に位置してなり前記左右の板状被覆部に連設されるとともに前記浴槽の開口縁に支持される略矩形状をなす後板状部とを備えたものであり、
前記後板状部が、巻回され得る大きさに設定されたものであり、前記後板状部が巻回された状態で前記入浴者の首部分や頭部を支持し得る枕を形成し得るものとなっている風呂蓋補助具。
【請求項２】
前記左右の板状被覆部と前記後板状部との境界部分に連通孔が設けられており、この連通孔を挿通させた紐状又は帯状の部材により、前記後板状部が巻回された状態に保持される請求項１記載の風呂蓋補助具。
【考案の詳細な説明】
【技術分野】
【０００１】
本考案は、浴槽の一部分を覆うようにして使用される風呂蓋補助具に関する。
【背景技術】
【０００２】
浴槽の開口部を覆うことにより湯の温度の低下を抑制する風呂蓋が周知である。
【０００３】
また、近時においては、風呂蓋の一部に使用者の首部分を通過させ得る切欠部分を設けることにより、入浴者がいわゆるサウナ効果や美肌効果を得られるようにしたものが検討されている（例えば、特許文献１を参照。）。
【０００４】
しかしながら、従来のものは、製造するにあたり専用の金型を必要とするものであったため、製造コストを抑制するには一定の限界があった。また、従来のものは、不使用時においてコンパクトに収納され難い構造をなしたものが殆どであったため、保管する場合には比較的広い場所を必要とするものになっていた。
【先行技術文献】
【特許文献】
【０００５】
【特許文献１】実用新案登録第３１９１１０７号公報
【考案の概要】
【考案が解決しようとする課題】
【０００６】
本考案は、このような課題に着目してなされたものであって、少なくとも、浴槽において、簡単にサウナ効果や美肌効果を得られるものであり、且つ、専用の金型に依存することなく製造することが可能な風呂蓋補助具を提供することにある。
【課題を解決するための手段】
【０００７】
すなわち、本考案の風呂蓋補助具は、次の構成をなしている。
【０００８】
請求項１に記載の考案は、浴槽の開口縁及び前記浴槽を部分的に覆うように配された風呂蓋の端縁にそれぞれ支持される風呂蓋補助具であって、可撓性を有する合成樹脂製の板状部材により形成され前記浴槽を部分的に覆う補助具本体を備えたものであり、前記補助具本体が、左右方向中央部に設けられ前記浴槽に入る入浴者の首部分を通過させ得る大きさに設定された首挿通孔と、前記首挿通孔の左右に対をなして配設され前端部分が前記風呂蓋の端縁に支持されるとともに外側端部分が前記浴槽の開口縁に支持される左右の板状被覆部と、前記首挿通孔の後に位置してなり前記左右の板状被覆部に連設されるとともに前記浴槽の開口縁に支持される略矩形状をなす後板状部とを備えたものであり、前記後板状部が、巻回され得る大きさに設定されたものであり、前記後板状部が巻回された状態で前記入浴者の首部分や頭部を支持し得る枕を形成し得るものとなっている風呂蓋補助具である。
【０００９】
請求項２に記載の考案は、前記左右の板状被覆部と前記後板状部との境界部分に連通孔が設けられており、この連通孔を挿通させた紐状又は帯状の部材により、前記後板状部が巻回された状態に保持される請求項１記載の風呂蓋補助具である。
【考案の効果】
【００１０】
以上説明したように本考案によれば、少なくとも、浴槽において、簡単にサウナ効果や美肌効果を得られるものであり、且つ、専用の金型に依存することなく製造することが可能な風呂蓋補助具を提供することができるものとなる。
【図面の簡単な説明】
【００１１】
【図１】本考案の一実施形態を示す平面図。
【図２】同実施形態における使用状態を示す斜視図。
【図３】同実施形態における使用状態を示す右側面図。
【図４】同実施形態における使用状態を示す正面図。
【図５】同実施形態における収納状態を示す平面図。
【図６】他の実施形態を示す平面図。
【図７】同実施形態における使用状態を示す平面図。
【図８】同実施形態における使用状態を示す正面図。
【考案を実施するための形態】
【００１２】
以下、本考案の一実施形態を、図１〜５を参照して説明する。
【００１３】
風呂蓋補助具Ｈは、風呂蓋Ｆを設けた浴槽Ｄにおいて使用されるものである。この風呂蓋補助具Ｈは、浴槽Ｄだけでなく風呂蓋Ｆの存在を前提として使用される。風呂蓋補助具Ｈは、浴槽Ｄ及び風呂蓋Ｆに支持されて浴槽Ｄに溜められた湯（図示せず）の上側に当該湯を覆うように配設される。
【００１４】
なお、風呂蓋Ｆの上には、タブレット型の電子機器であるスマートフォンＶが適宜の方法で立設され、入浴者Ｐが風呂蓋補助具Ｈを利用しながらスマートフォンＶの動画等を閲覧できるようになっている。ここで、図２〜４に示した例では、スマートフォンＶの下端部が、風呂蓋Ｆの上面側に形成された凹部に位置決めされており、且つ、スマートフォンＶの背面部が、風呂蓋Ｆ上に載置された支持体Ｓによって支持されている。スマートフォンＶの背面部を支持する支持体Ｓは適宜のものを使用することができる。なお、風呂蓋Ｆの上にスマートフォンＶを立設させる方法は、任意に決定され得るものである。例えば、蛇腹状をなす風呂蓋Ｆの一部を側面視において凸状をなすように変形させ、その凸状部分に、スマートフォンＶの下端部及び背面部を支持させるようにしてもよい。
【００１５】
風呂蓋補助具Ｈは、浴槽Ｄの略矩形状をなす開口縁ｅの一部、より具体的には、入浴者Ｐの左右に位置する左右の側開口縁部ｅ１、ｅ２、及び、入浴者Ｐの後に位置する後開口縁部ｅ３に下から支持される。さらに、風呂蓋補助具Ｈは、浴槽Ｄにおける左右の側開口縁部ｅ１、ｅ２、及び、前開口縁部ｅ４の上に乗り当該浴槽Ｄを部分的に覆うように配された風呂蓋Ｆの端縁である手前端縁ｆ１（入浴者Ｐからみて手前側に位置する端縁であり、以下、「手前端縁ｆ１」と称する。）に下から支持される。
【００１６】
この実施形態において示されている風呂蓋補助具Ｈは、可撓性を有する合成樹脂製の板状部材により形成され浴槽Ｄを部分的に覆う補助具本体Ｂと、補助具本体Ｂの後板状部３をロール状に巻いた状態に保持する帯状の部材Ｃを備えている。
【００１７】
まず、補助具本体Ｂについて詳述する。
【００１８】
補助具本体Ｂは、ポリ塩化ビニル樹脂製のシート材を裁断して作られたものである。補助具本体Ｂは、例えば、図１に示すような板状形状を保持し得る弾性を有したものであるが、可撓性を有しており使用者の操作によって変形可能であり、図５に示すような全体をロール状にした形態も採り得るものとなっている。なお、図５に示すように、補助具本体Ｂの全体がロール状の形態をなしているものは、収納時における形態であり、風呂蓋補助具Ｈを使用しないときに好適である。
【００１９】
補助具本体Ｂは、左右方向中央部に設けられ浴槽Ｄに入る入浴者Ｐの首部分を通過させ得る大きさに設定された首挿通孔ａと、首挿通孔ａの左右に対をなして配設され前端部分ｔ１が風呂蓋Ｆの手前端縁ｆ１に支持されるとともに外側端部分ｔ２が浴槽Ｄの開口縁ｅにおける左右の側開口縁部ｅ１、ｅ２に下から支持される左右の板状被覆部１、２と、首挿通孔ａの後に位置してなり左右の板状被覆部１、２の後端部に連設されるとともに浴槽Ｄの開口縁ｅにおける後開口縁部ｅ３に下から支持される略矩形状をなす後板状部３とを備えている。
【００２０】
首挿通孔ａは、前後方向に長い形状をなした平面視において釣鐘形状をなしたものである。首挿通孔ａの開口縁ｅは、左右の板状被覆部１、２における内方端縁ｈ１、ｈ２と後板状部３における内方端縁ｈ３とによって形成されている。
【００２１】
左右の板状被覆部１、２は、風呂蓋Ｆとともに浴槽Ｄにおける湯の上を覆うものである。左右の板状被覆部１、２は、その前部に平面視において内方に突出する突出部１１、２１を有している。そして、対をなす突出部１１、２１の端縁１１ｅ、２１ｅ同士が、左右方向中央部において突合した形態をなしている。換言すれば、対をなす突出部１１、２１の端縁１１ｅ、２１ｅ同士は、接離可能に構成されており、入浴者Ｐが首挿通孔ａに頭部を入れやすくしてある。例えば、体格の大きい人が使用するような場合には、一時的に左右の板状被覆部１、２における突出部１１、２１を引き離して、首挿通孔ａに首を入れることができる。左右の板状被覆部１、２同士は、首挿通孔ａよりも前側に位置する部分において連結していない。このため、入浴者Ｐが、浴槽Ｄに入っている状態で、スマートフォンＶを操作する場合には、左右の板状被覆部１、２のうち、いずれか一方を上方に跳ね上げることによって行うことができるようになっている。
【００２２】
また、左右の板状被覆部１、２の前端部分ｔ１には、下面側に凹陥部ｔ１１が形成されている。凹陥部ｔ１１は、風呂蓋Ｆの手前端縁ｆ１に係り合う形状をなしている。凹陥部ｔ１１を設けることにより、風呂蓋補助具Ｈの前端部分ｔ１が浴槽Ｄにおける左右の側開口縁部ｅ１、ｅ２に対して大きく離れることが抑制され、浴槽Ｄ内の湯の保温性を高めることができるようになっている。
【００２３】
後板状部３は、展開状態では矩形板状をなすものであり、その後端縁側から前方に向かってロール状に巻回され得る大きさに設定されている。後板状部３は、ロール状に巻回された状態で入浴者Ｐの首部分や頭部を支持し得る枕を形成し得るものとなっている。
【００２４】
なお、この実施形態では、左右の板状被覆部１、２と後板状部３との境界部分の二箇所に連通孔ｒが設けられている。これら左右二箇所に設けられた連通孔ｒを挿通させた帯状の部材Ｃにより、図２〜４に示すように、後板状部３がロール状に巻回された状態に保持されている。
【００２５】
帯状の部材Ｃには、所定の箇所に面ファスナー（図示せず）が設けられている。帯状の部材Ｃは、ロール状に巻回された後板状部３の外周面に巻き付けられ、面ファスナーによって帯状の部材Ｃの巻き付け長さを固定することにより、後板状部３をロール状の形態に保持し得るものとなっている。帯状の部材Ｃは、左右の二箇所に設けられているため、後板状部３が巻回した状態を安定して保持することができるものとなっている。
【００２６】
なお、この実施形態では、後板状部３をロール状の形態に保持し得る手段として、帯状の部材Ｃを使用しているが、紐状の部材であってもよいし、面ファスナーを使用したものでなくてもよい。また、帯状や紐状の部材を使用しなくてもよく、例えば、補助具本体Ｂの外面（表面及び裏面）にロール状の形態をなした際に接着し得る面ファスナー要素を設けたものであってもよい。
【００２７】
以上に述べたように、本実施形態における風呂蓋補助具Ｈは、浴槽Ｄの略矩形状をなす開口縁ｅの一部、及び、開口縁ｅの上に浴槽Ｄを部分的に覆うように配された風呂蓋Ｆの手前端縁ｆ１にそれぞれ支持されるように構成したものである。そして、風呂蓋補助具Ｈは、可撓性を有する合成樹脂製の板状部材により形成され浴槽Ｄを部分的に覆う補助具本体Ｂを備えている。補助具本体Ｂが、左右方向中央部に設けられ浴槽Ｄに入る入浴者Ｐの首部分を通過させ得る大きさに設定された首挿通孔ａと、首挿通孔ａの左右に対をなして配設され前端部分ｔ１が風呂蓋Ｆの手前端縁ｆ１に支持されるとともに外側端部分ｔ２が浴槽Ｄの開口縁ｅに支持される左右の板状被覆部１、２と、首挿通孔ａの後に位置してなり左右の板状被覆部１、２に連設されるとともに浴槽Ｄの開口縁ｅに支持される略矩形状をなす後板状部３とを備えている。後板状部３が、巻回され得る大きさに設定されたものであり、後板状部３が巻回された状態で入浴者Ｐの首部分や頭部を支持し得る枕を形成し得るものとなっている。
【００２８】
このため、浴槽Ｄにおいて、簡単にサウナ効果や美肌効果を得られるものであり、且つ、専用の金型に依存することなく製造することが可能な風呂蓋補助具Ｈを提供することができるものとなる。
【００２９】
つまり、補助具本体Ｂが可撓性を有する合成樹脂製の板状部材により構成されたものであるため、軽量化を図るための設計の自由度に優れたものとなる。また、シート状の板状部材を所定の形状に裁断すれば、本実施形態の補助具本体Ｂを容易に得ることができるため、金型に依存する必要がなく、製造コストの抑制に貢献し得るものとなっている。
【００３０】
入浴者Ｐの頭部側の部位、すなわち、後板状部３を巻回させることにより、入浴者Ｐの首部分や頭部を支持し得る枕を構成し得るものとなっている。また、巻回した後板状部３の大きさ（巻きつけの度合い）を設定することにより、入浴者Ｐの好みに合った大きさの枕を得ることができるものとなる。換言すれば、本実施形態の風呂蓋補助具Ｈを使用する者は、好適にリラックスした状態（リラクゼーション効果）を得ることができるものとなる。
【００３１】
補助具本体Ｂに首挿通孔ａが設けられているため、浴槽Ｄの湯から放出されるスチームが入浴者Ｐの顔に及ぶことになり、市販のスチーム美顔器と似たような顔肌を潤す効果（美肌効果）を得ることができる。
【００３２】
補助具本体Ｂが、風呂蓋Ｆと協働して浴槽Ｄを覆うものとなるため、入浴者Ｐが入浴しているにも関わらず、浴槽Ｄの湯の温度が低下するのを好適に抑制することができるものとなる。
【００３３】
また、補助具本体Ｂは、左右の板状被覆部１、２の後端が後板状部３に連続しているため、長い髪の毛が浴槽Ｄの内部に入ってしまうのを好適に抑制し得るものとなる。
【００３４】
左右の板状被覆部１、２と後板状部３との境界部分に連通孔ｒが設けられており、この連通孔ｒを挿通させた帯状の部材Ｃにより、後板状部３が巻回された状態に保持されるものとなっている。このため、入浴者Ｐの簡単な操作（後板状部３を自らの力で巻き、帯状の部材Ｃによって留めるという操作）によって、後板状部３を巻回した状態に好適に保持することができるものとなっている。
【００３５】
なお、本考案は以上に述べた各実施形態に示したものに限定されるものではない。
【００３６】
例えば、風呂蓋補助具Ｈは、図６〜８に示すような形態のものであってもよい。このものは、補助具本体Ｂにおける首挿通孔ａを、後板状部３に連設させた突出片Ｕを切り起こすことにより出現させるようにしたものである。突出片Ｕは、首挿通孔ａの後において巻回された状態に保持された後板状部３の外側に覆い被さるようになっている。このようなものであれば、後板状部３とともに突出片Ｕも枕の一部として機能し得るものとなり、入浴者Ｐに対して好適なクッション性を与えることができるものとなっている。
【００３７】
その他、本考案の各構成は、本考案の趣旨を逸脱しない範囲で種々変更することができるものである。
【００３８】
後板状部が巻回された状態は、紐状の部材や帯状の部材により保持するものに限られない。すなわち、風呂蓋補助具は、補助具本体の後板状部を巻回した状態に保持する種々の巻回状態保持手段を適用することができる。例えば、後板状部の巻回された状態は、接着剤により保持されたものであってもよい。また、後板状部の巻回された状態は、補助具本体の外面に設けた面ファスナーやスナップボタンやフックにより実現してもよい。
【００３９】
補助具本体には、適宜、ＡＧ抗菌を施してもよいのはもちろんのことである。
【００４０】
補助具本体には、保温性を向上させるべく、裏面（下面）にアルミシートを貼り設けるようにしてもよい。
【００４１】
その他、各部の具体的構成についても上記実施形態に限られるものではなく、本考案の趣旨を逸脱しない範囲で種々変形が可能である。
【符号の説明】
【００４２】
Ｈ…風呂蓋補助具
Ｂ…補助具本体
Ｃ…帯状の部材
Ｄ…浴槽
Ｆ…風呂蓋
【図１】
0003211655.tif 000003
【図２】
0003211655.tif 000004
【図３】
0003211655.tif 000005
【図４】
0003211655.tif 000006
【図５】
0003211655.tif 000007
【図６】
0003211655.tif 000008
【図７】
0003211655.tif 000009
【図８】
0003211655.tif 000010